(57)【要約】【課題】参照信号間のフェージング変動の相関が低い場合であっても、高精度に干渉電力推定を行って正確な受信品質を求めることができる受信装置及び干渉電力推定方法を提供すること。【解決手段】本発明の干渉電力推定方法は、時間・周波数平面において不連続である複数の参照信号を含む信号を受信し、前記信号から前記参照信号を取り出し、前記時間・周波数平面における特定の時間・周波数の参照信号を取り囲む参照信号からそれぞれ求めたチャネル変動値を所定の重み付けで線形合成し、前記線形合成した線形合成値を用いて干渉電力を推定することを特徴とする。【選択図】図２
2011045027.tif 000002
【特許請求の範囲】
【請求項１】
時間・周波数平面において不連続である複数の参照信号を含む受信信号から前記参照信号を取り出す参照信号抽出手段と、前記時間・周波数平面における特定の時間・周波数の参照信号を取り囲む参照信号からそれぞれ求めたチャネル変動値を所定の重み付けで線形合成する線形合成手段と、前記線形合成した線形合成値を用いて干渉電力を推定する干渉電力推定手段と、を具備することを特徴とする受信装置。
【請求項２】
前記干渉電力推定手段は、前記線形合成値と前記特定の時間・周波数の参照信号から求めたチャネル変動値との間の差分を２乗平均して干渉電力の推定値を得ることを特徴とする請求項１記載の受信装置。
【請求項３】
前記時間・周波数平面における参照信号は、ＬＴＥシステムで使用する配置にマッピングされていることを特徴とする請求項１又は請求項２記載の受信装置。
【請求項４】
前記特定の時間・周波数の参照信号を参照信号ＲＳｃから求めたチャネル変動値をｒｃとし、前記参照信号を取り囲む参照信号ＲＳ１，ＲＳ２，ＲＳ３，ＲＳ４からそれぞれ求めたチャネル変動値をｒ１，ｒ２，ｒ３，ｒ４とし、前記参照信号ＲＳ１，ＲＳ２が前記参照信号ＲＳｃからそれぞれ３サブキャリア、４シンボル離れて配置され、前記参照信号ＲＳ３，ＲＳ４が前記参照信号ＲＳｃからそれぞれ３サブキャリア、３シンボル離れて配置されており、前記所定の重み付けがｒｃ’＝（３ｒ１＋３ｒ２＋４ｒ３＋４ｒ４）／１４であり、Ｅ（｜ｒｃ’−ｒｃ｜２）（Ｅはアンサンブル平均）の値に９８／１２３を乗じた値を干渉電力の推定値とすることを特徴とする請求項請求項１から請求項３のいずれかに記載の受信装置。
【請求項５】
時間・周波数平面において不連続である複数の参照信号を含む信号を受信する工程と、前記信号から前記参照信号を取り出す工程と、前記時間・周波数平面における特定の時間・周波数の参照信号を取り囲む参照信号からそれぞれ求めたチャネル変動値を所定の重み付けで線形合成する工程と、前記線形合成した線形合成値を用いて干渉電力を推定する工程と、を具備することを特徴とする干渉電力推定方法。
【請求項６】
前記線形合成値と前記特定の時間・周波数の参照信号から求めたチャネル変動値との間の差分を２乗平均して干渉電力の推定値を得ることを特徴とする請求項５記載の干渉電力推定方法。
【請求項７】
前記時間・周波数平面における参照信号は、ＬＴＥシステムで使用する配置にマッピングされていることを特徴とする請求項５又は請求項６記載の干渉電力推定方法。
【請求項８】
前記特定の時間・周波数の参照信号ＲＳｃから求めたチャネル変動値をｒｃとし、前記参照信号ＲＳｃを取り囲む参照信号ＲＳ１，ＲＳ２，ＲＳ３，ＲＳ４から求めたチャネル変動値をｒ１，ｒ２，ｒ３，ｒ４とし、前記参照信号ＲＳ１，ＲＳ２が前記参照信号ＲＳｃからそれぞれ３サブキャリア、４シンボル離れて配置され、前記参照信号ＲＳ３，ＲＳ４が前記参照信号ＲＳｃからそれぞれ３サブキャリア、３シンボル離れて配置されており、前記所定の重み付けがｒｃ’＝（３ｒ１＋３ｒ２＋４ｒ３＋４ｒ４）／１４であり、Ｅ（｜ｒｃ’−ｒｃ｜２）（Ｅはアンサンブル平均）の値に９８／１２３を乗じた値を干渉電力の推定値とすることを特徴とする請求項請求項５から請求項７のいずれかに記載の干渉電力推定方法。
【発明の詳細な説明】
【技術分野】
【０００１】
本発明は、移動通信システムにおける受信装置及び干渉電力推定方法に関する。
【背景技術】
【０００２】
移動通信システムにおいては、下り各種制御チャネルからサービスエリアにおける下りリンクの受信品質、例えばＳＩＲ（Signal-to-Interference  power  Ratio）を正確に測定することが重要である。ＬＴＥ（Long  Term  Evolution）方式の移動通信システムにおいては、ＳＩＲを測定するために、図１に示すような時間・周波数軸上に不連続にマッピングされた参照信号（ＲＳ：Reference  Signal）を用いる。具体的には、図１に示す参照信号の受信信号から求めたチャネル変動量ｒ１，ｒｃを用い、Ｅ（｜ｒ１−ｒｃ｜２）（Ｅ：アンサンブル平均）を１／２倍することにより干渉電力を推定し、この干渉電力推定値を用いてＳＩＲを求める。
【先行技術文献】
【非特許文献】
【０００３】
【非特許文献１】電子情報通信学会２００８年ソサイエティ大会Ｂ−１−２４
【発明の概要】
【発明が解決しようとする課題】
【０００４】
上記の干渉電力推定法は、２つの参照信号からそれぞれ求めたチャネル変動値ｒ１，ｒｃの間（図１における太枠内）のチャネル変動が小さい場合、すなわち、瞬時フェージングの変動周期と比較して参照信号が時間・周波数上で十分近接していて瞬時フェージングの変動の影響が限定的な場合においては、高精度の干渉電力推定を行うことができる。しかしながら、移動速度が高速の場合や、遅延スプレッドが大きい場合には、２つの参照信号からそれぞれ求めたチャネル変動値ｒ１，ｒｃの間のフェージング変動の相関が低く、ｒ１，ｒｃの間に瞬時フェージングの変動の影響がある。このとき、上記の干渉電力推定法では、干渉電力推定の精度が大きく劣化する。これにより、受信品質であるＳＩＲを正確に測定できないという問題がある。
【０００５】
本発明はかかる点に鑑みてなされたものであり、参照信号間のフェージング変動の相関が低い場合であっても、高精度に干渉電力推定を行って正確な受信品質を求めることができる受信装置及び干渉電力推定方法を提供することを目的とする。
【課題を解決するための手段】
【０００６】
本発明の受信装置は、時間・周波数平面において不連続である複数の参照信号を含む受信信号から前記参照信号を取り出してチャネル変動値を求める参照信号抽出手段と、前記時間・周波数平面における特定の時間・周波数の参照信号を取り囲む参照信号からそれぞれ求めたチャネル変動値を所定の重み付けで線形合成する線形合成手段と、前記線形合成した線形合成値を用いて干渉電力を推定する干渉電力推定手段と、を具備することを特徴とする。
【０００７】
この構成によれば、時間・周波数平面において、特定の時間・周波数の参照信号を取り囲む参照信号で区画された領域でのフェージング変動を補間することができる。その結果、参照信号間のフェージング変動の相関が低い場合であっても、高精度に干渉電力推定を行うことができ、その結果、正確な受信品質を求めることができる。
【０００８】
本発明の受信装置においては、前記干渉電力推定手段は、前記線形合成値と前記特定の時間・周波数の参照信号から求めたチャネル変動値との間の差分を２乗平均して干渉電力の推定値を得ることが好ましい。
【０００９】
本発明の受信装置においては、前記時間・周波数平面における参照信号は、ＬＴＥシステムで使用する配置にマッピングされていることが好ましい。
【００１０】
本発明の受信装置においては、前記特定の時間・周波数の参照信号ＲＳｃから求めたチャネル変動値をｒｃとし、前記参照信号を取り囲む参照信号ＲＳ１，ＲＳ２，ＲＳ３，ＲＳ４からそれぞれ求めたチャネル変動値をｒ１，ｒ２，ｒ３，ｒ４とし、前記参照信号ＲＳ１，ＲＳ２が前記参照信号ＲＳｃからそれぞれ３サブキャリア、４シンボル離れて配置され、前記参照信号ＲＳ３，ＲＳ４が前記参照信号ＲＳｃからそれぞれ３サブキャリア、３シンボル離れて配置されており、前記所定の重み付けでの線形合成がｒｃ’＝（３ｒ１＋３ｒ２＋４ｒ３＋４ｒ４）／１４であり、Ｅ（｜ｒｃ’−ｒｃ｜２）（Ｅはアンサンブル平均）の値に９８／１２３を乗じた値を干渉電力の推定値とすることが好ましい。
【００１１】
本発明の干渉電力推定方法は、時間・周波数平面において不連続である複数の参照信号を含む信号を受信する工程と、前記信号から前記参照信号を取り出してチャネル変動値を求める工程と、前記時間・周波数平面における特定の時間・周波数の参照信号を取り囲む参照信号から求めたチャネル変動値を所定の重み付けで線形合成する工程と、前記線形合成した線形合成値を用いて干渉電力を推定する工程と、を具備することを特徴とする。
【００１２】
この方法によれば、時間・周波数平面において、特定の時間・周波数の参照信号を取り囲む参照信号で区画された領域でのフェージング変動を補間することができる。その結果、参照信号間のフェージング変動の相関が低い場合であっても、高精度に干渉電力推定を行うことができ、その結果、正確な受信品質を求めることができる。
【００１３】
本発明の干渉電力推定方法においては、前記線形合成値と前記特定の時間・周波数の参照信号から求めたチャネル変動値との間の差分を２乗平均して干渉電力の推定値を得ることが好ましい。
【００１４】
本発明の干渉電力推定方法においては、前記時間・周波数平面における参照信号は、ＬＴＥシステムで使用する配置にマッピングされていることが好ましい。
【００１５】
本発明の干渉電力推定方法においては、前記特定の時間・周波数の参照信号を参照信号ＲＳｃから求めたチャネル変動値をｒｃとし、前記参照信号ｒｃを取り囲む参照信号ＲＳ１，ＲＳ２，ＲＳ３，ＲＳ４からそれぞれ求めたチャネル変動値をｒ１，ｒ２，ｒ３，ｒ４とし、前記参照信号ＲＳ１，ＲＳ２が前記参照信号ＲＳｃからそれぞれ３サブキャリア、４シンボル離れて配置され、前記参照信号ＲＳ３，ＲＳ４が前記参照信号ＲＳｃからそれぞれ３サブキャリア、３シンボル離れて配置されており、前記所定の重み付けでの線形合成がｒｃ’＝（３ｒ１＋３ｒ２＋４ｒ３＋４ｒ４）／１４であり、Ｅ（｜ｒｃ’−ｒｃ｜２）（Ｅはアンサンブル平均）の値に９８／１２３を乗じた値を干渉電力の推定値とすることが好ましい。
【発明の効果】
【００１６】
本発明によれば、時間・周波数平面において不連続である複数の参照信号を含む信号を受信し、前記信号から前記参照信号を取り出し、前記時間・周波数平面における特定の時間・周波数の参照信号を取り囲む参照信号を所定の重み付けで線形合成し、前記線形合成した線形合成値を用いて干渉電力を推定するので、参照信号間のフェージング変動の相関が低い場合であっても、高精度に干渉電力推定を行って正確な受信品質を求めることができる。
【図面の簡単な説明】
【００１７】
【図１】従来の干渉電力推定方法を説明するための図である。
【図２】本発明に係る干渉電力推定方法を説明するための図である。
【図３】本発明における線形合成の際の重み付けを説明するための図である。
【図４】参照信号の配置例を示す図である。
【図５】参照信号の配置例を示す図である。
【図６】本発明に係る受信装置の概略構成を示す図である。
【図７】遅延スプレッドに対するＳＩＲ測定誤差特性を示す図である。
【図８】移動速度に対するＳＩＲ測定誤差特性を示す図である。
【発明を実施するための形態】
【００１８】
以下、本発明の実施の形態について、添付図面を参照して詳細に説明する。本実施の形態においては、ＯＦＤＭ（Orthogonal  Frequency  Divisional  Multiplex）を用いるＬＴＥシステムの下りリンクの受信品質（ＳＩＲ）を測定する方法について説明する。
【００１９】
本発明の干渉電力推定方法においては、時間・周波数平面において不連続である複数の参照信号を含む信号を受信し、前記信号から前記参照信号を取り出し、前記時間・周波数平面における特定の時間・周波数の参照信号を取り囲む参照信号からそれぞれ求めたチャネル変動値を所定の重み付けで線形合成し、前記線形合成した線形合成値を用いて干渉電力を推定する。
【００２０】
このように、時間・周波数平面における特定の時間・周波数の参照信号を取り囲む参照信号を所定の重み付けで線形合成することにより、時間・周波数平面において、特定の時間・周波数の参照信号を取り囲む参照信号で区画された領域でのフェージング変動を補間することができる。その結果、参照信号間のフェージング変動の相関が低い場合であっても、高精度に干渉電力推定を行うことができる。
【００２１】
図２は、ＬＴＥシステムで使用する、下りリンクにおけるＲＳの配置を示す図である。図２に示すように、時間・周波数平面において、各スロットの１シンボル目と５シンボル目に６サブキャリアおきにＲＳが配置されている。このＲＳ配置においては、あるスロットおよびこれに隣接するスロットの各１シンボル目の２つのＲＳと、この２つのＲＳの周波数方向にそれぞれ隣接する２つのＲＳとの４つのＲＳで区画された領域（図２における太線で囲んだ領域）の内部に、前記スロットの５シンボル目のＲＳが位置するようになっている。また、言い換えると、このＲＳ配置においては、あるスロット及びこれに隣接するスロットの各５シンボル目の２つのＲＳと、この２つのＲＳの周波数方向にそれぞれ隣接する２つのＲＳとの４つのＲＳで区画された領域の内部に、前記隣接するスロットの１シンボル目のＲＳが位置するようになっている。このように、図２に示すＲＳ配置においては、スロットの１シンボル目の隣接する４つのＲＳで構成される領域と、スロットの５シンボル目の隣接する４つのＲＳで構成される領域とが重なっている。
【００２２】
本発明においては、図２に示すスロットの５シンボル目のＲＳの受信信号から求めたチャネル変動値ｒ２ｋ＋１，ｌと、それを取り囲むスロットの１シンボル目の４つのＲＳの受信信号から求めたチャネル変動値ｒ２ｋ，ｌ、ｒ２ｋ，ｌ＋１、ｒ２（ｋ＋１），ｌ、ｒ２（ｋ＋１），ｌ＋１を一単位としてフェージング変動を補間して受信信号の分散を求めることにより干渉電力を推定する。また、このように得られた干渉電力の推定値ＰＩと受信信号の平均電力ＰＳを用いて周波数・時間方向に平均化することにより平均ＳＩＲ（＝ＰＳ／ＰＩ）を求める。
【００２３】
本発明においては、上記スロットの１シンボル目あるいは５シンボル目の隣接する４つのＲＳで構成される領域においてフェージング変動を補間する処理を行う。すなわち、時間・周波数平面における特定の時間・周波数のＲＳを取り囲むＲＳの受信信号からそれぞれ求めたチャネル変動値を所定の重み付けで線形合成し、線形合成した線形合成値から特定の時間・周波数のＲＳの受信信号から求めたチャネル変動値を減算し、減算後の減算値を平均化し、平均化後の平均値を干渉電力の推定値とする。さらに、この干渉電力の推定値を用いてＳＩＲを測定する。
【００２４】
ここで、特定の時間・周波数のＲＳを取り囲むＲＳ（隣接する４つのＲＳ）を所定の重み付けで線形合成する場合の重み付けについて説明する。図３は、本発明における線形合成の際の重み付けを説明するための図である。
【００２５】
図３においては、特定の時間・周波数のＲＳを参照信号ＲＳｃから求めたチャネル変動値をｒｃとし、参照信号ＲＳｃを取り囲む４つのＲＳであるＲＳ１，ＲＳ２，ＲＳ３，ＲＳ４からそれぞれ求まるチャネル変動値をｒ１，ｒ２，ｒ３，ｒ４としている。参照信号ＲＳ１は参照信号ＲＳｃからａサブキャリア、ｃシンボル離れて配置され、参照信号ＲＳ２は参照信号ＲＳｃからｂサブキャリア、ｃシンボル離れて配置され、参照信号ＲＳ３は参照信号ＲＳｃからａサブキャリア、ｄシンボル離れて配置され、参照信号ＲＳ４は参照信号ＲＳｃからｂサブキャリア、ｄシンボル離れて配置されている。
【００２６】
したがって、参照信号ＲＳｃについて、参照信号ＲＳ１，ＲＳ２，ＲＳ３，ＲＳ４への距離に応じて重み付けされた補間チャネル変動値ｒｃ’は、下記式（１）のようになる。
ｒｃ’＝（ｂｄ・ｒ１＋ａｄ・ｒ２＋ｂｃ・ｒ３＋ａｃ・ｒ４）／｛（ａ＋ｂ）（ｃ＋ｄ）｝  式（１）
そして、この補間チャネル変動値ｒｃ’を用いて、干渉電力の推定を行う。すなわち、補間チャネル変動値ｒｃ’とＲＳｃから求めたチャネル変動値ｒｃの分散を正規化することにより干渉電力の推定値とする（下記式（２））。
Ｅ（｜ｒｃ’−ｒｃ｜２）／Ｘ
Ｘ＝１＋［（ａ２＋ｂ２）（ｃ２＋ｄ２）／｛（ａ＋ｂ）（ｃ＋ｄ）｝２]  式（２）
【００２７】
ここで、特定の時間・周波数の参照信号を参照信号ｒｃとし、参照信号ｒｃを取り囲む参照信号を参照信号ｒ１，ｒ２，ｒ３，ｒ４とし、参照信号ＲＳ１，ＲＳ２が参照信号ＲＳｃからそれぞれ３サブキャリア、４シンボル離れて配置され、参照信号ＲＳ３，ＲＳ４が前記参照信号ＲＳｃからそれぞれ３サブキャリア、３シンボル離れて配置されているとした場合、すなわち、ａ＝ｂ＝３、ｃ＝４、ｄ＝３を上記式（１）、式（２）に代入すると、補間参照チャネル変動値ｒｃ’及びＸは以下のようになる。
ｒｃ’＝（３ｒ１＋３ｒ２＋４ｒ３＋４ｒ４）／１４
Ｘ＝１２３／９８
したがって、干渉電力の推定値は、ｒｃ’＝（３ｒ１＋３ｒ２＋４ｒ３＋４ｒ４）／１４として、Ｅ（｜ｒｃ’−ｒｃ｜２）（Ｅはアンサンブル平均）の値に９８／１２３を乗じた値となる。
【００２８】
また、上記のように参照信号ＲＳｃを取り囲む参照信号を参照信号ＲＳ１，ＲＳ２，ＲＳ３，ＲＳ４を一単位としてチャネル変動を補間して、受信参照信号の平均電力と分散を求め、これを下記式（３）に示すようにして周波数・時間方向に平均化することにより平均ＳＩＲ（＝ＰＳ／ＰＩ）を計算する。
【数１】
2011045027.tif 000003
ここで、ＮＬ，ＮＫはそれぞれ周波数方向・時間方向の平均区間内のＲＳ数である。
【００２９】
このように、上述した干渉電力推定方法によれば、時間・周波数平面において、特定の時間・周波数の参照信号を取り囲む参照信号で区画された領域でのフェージング変動を補間するので、その結果、参照信号間のフェージング変動の相関が低い場合であっても、高精度に干渉電力推定を行うことができ、その結果、正確な受信品質を求めることができる。
【００３０】
本発明に係る干渉電力推定方法において、時間・周波数平面で、特定の時間・周波数のＲＳを取り囲むＲＳで区画された領域（補間領域、補間単位）としては、例えば、ＬＴＥシステムで使用するＲＳの配置領域が挙げられる。すなわち、図４及び図５に示すようなＲＳ配置において、太線で囲まれた領域が補間領域あるいは補間単位となる。
【００３１】
具体的には、ノーマルＣＰ（Normal  Cyclic  Prefix）長の場合には、図４に示すようなＲＳ配置となる。図４に示すＲＳ配置構成（シンボル数と位置）は、チャネル推定精度とオーバーヘッドの観点から決定されており、アンテナ数が１又は２（１アンテナポート、２アンテナポート）の場合には、図２に示すように、アンテナ毎に６サブキャリアおきに各スロット内の１シンボル目、５シンボル目にＲＳがマッピングされる。アンテナ数が４（４アンテナポート）の場合には、３番目、４番目のアンテナに対するＲＳが、スロット内の２シンボル目のみに、それぞれ１番目、２番目のアンテナと同一のサブキャリアにマッピングされる。また、ロングＣＰ（Long  Cyclic  Prefix）長の場合には、図５に示すようなＲＳ配置となる。アンテナ数が１又は２（１アンテナポート、２アンテナポート）の場合には、図２に示すように、アンテナ毎に６サブキャリアおきに各スロット内の１シンボル目、４シンボル目にＲＳがマッピングされる。アンテナ数が４（４アンテナポート）の場合には、３番目、４番目のアンテナに対するＲＳが、スロット内の２シンボル目のみに、それぞれ１番目、２番目のアンテナと同一のサブキャリアにマッピングされる。
【００３２】
図６は、本発明に係る受信装置の概略構成を示す図である。ここでは、ＬＴＥシステムにおける移動端末装置の受信装置である場合について説明する。図６に示す受信装置は、受信アンテナ１１と、受信部１２と、ＦＦＴ（Fast  Fourier  Transform）部１３と、ＲＳ取り出し部１４と、重み付け合成部１５と、減算部１６と、２乗平均化部１７とから主に構成されている。また、移動端末装置においては、送信部も備えているが、説明を簡略にするために省略する。
【００３３】
受信部１２は、無線基地局装置からのＯＦＤＭ信号を、受信アンテナ１１を介して受信する。受信部１２は、ＯＦＤＭ信号をＦＦＴ部１３に出力する。ＦＦＴ部１３は、ＯＦＤＭ信号をＦＦＴして周波数領域の信号に変換する。ＦＦＴ部１３は、ＦＦＴ後の信号をＲＳ取り出し部１４に出力する。
【００３４】
ＲＳ取り出し部１４は、ＦＦＴ後の信号からＲＳを抽出する。例えば、ＲＳ取り出し部１４は、図３における参照信号ＲＳｃ，ＲＳ１，ＲＳ２，ＲＳ３，ＲＳ４に対応する受信信号を取り出し、それぞれチャネル変動値ｒｃ，ｒ１，ｒ２，ｒ３，ｒ４を求める。そして、重み付け合成に使用するチャネル変動値ｒ１，ｒ２，ｒ３，ｒ４を重み付け合成部１５に出力し、チャネル変動値ｒｃを減算部１６に出力する。
【００３５】
重み付け合成部１５は、チャネル変動値ｒ１，ｒ２，ｒ３，ｒ４を用い、式（１）により、補間チャネル変動値ｒｃ’を求める。この場合において、予めアンテナ数の情報は無線基地局装置より報知あるいは通知されているので、移動端末装置においては図４又は図５に示すＲＳ配置が既知である。このため、そのＲＳ配置より図３におけるａ，ｂ，ｃ，ｄも移動端末装置側で既知である。このように、重み付け合成部１５は、参照信号ｒ１，ｒ２，ｒ３，ｒ４及びａ，ｂ，ｃ，ｄを用いて、式（１）から補間参照信号ｒｃ’を求めることができる。重み付け合成部１５は、補間チャネル変動値ｒｃ’を減算部１６に出力する。
【００３６】
減算部１６は、ＲＳ取り出し部１４で抽出された参照信号から求めたチャネル変動値ｒｃと、重み付け合成部１５で得られた補間チャネル変動値ｒｃ’との差分（｜ｒｃ’−ｒｃ｜）を計算する。減算部１６は、得られた差分を２乗平均化部１７に出力する。２乗平均化部１７は、減算部１６で得られた差分を用いて干渉電力の推定値を求める。すなわち、２乗平均化部１７は、式（２）により、干渉電力の推定値を求める。この場合においても、図３におけるａ，ｂ，ｃ，ｄが移動端末装置側で既知であるので、２乗平均化部１７は、差分及びａ，ｂ，ｃ，ｄを用いて、式（２）から干渉電力の推定値を求めることができる。
【００３７】
このようにして得られた干渉電力の推定値を用いて、上記式（３）により、平均ＳＩＲを求めることができる。このＳＩＲは、本発明に係る干渉電力推定方法によりフェージング変動の影響を受けずに精度良く干渉電力が推定されているので、結果として、精度の高いものである。
【００３８】
次に、本発明の効果を明確にするために、ＳＩＲ測定の精度を計算機シミュレーションにより評価した。ここでは、システム帯域幅を５ＭＨｚとし、サブキャリア間隔を１５ｋＨｚとし、サブキャリア数を３００とした。また、無線基地局装置の送信部において、０．５ｍｓｅｃ長の１スロット内に、５シンボルの擬似ランダムデータ信号と２シンボルのＲＳを時間多重し、ＩＦＦＴ（Inverse  Fast  Fourier  Transform）により時間領域の信号に変換した後、ＣＰを付加した。また、移動端末装置側の受信部でのＦＦＴタイミング同期は理想とした。
【００３９】
本評価では、干渉電力成分は白色ガウス雑音とし、平均受信ＳＩＲは１０ｄＢ固定とした。また、チャネル変動として、等レベル２パスマルチパスフェージング変動を考慮し、ｒ．ｍ．ｓ（root  mean  square）遅延スプレッドσ（μｓｅｃ）、移動速度ｖ（ｍ／ｓ）はパラメータとした。また、平均化区間は、周波数方向は送信信号帯域全体とし、時間方向は３０メートル移動する間に時間率１０％で間欠的に測定を行うものとした。その結果を図７及び図８に示す。
【００４０】
図７は、移動速度ｖ＝１０（ｍ／ｓ）で、遅延スプレッドσをパラメータとした平均ＳＩＲ測定誤差を示す。本発明に係る干渉電力推定方法を用いて得られたＳＩＲの測定誤差を実施例（黒丸）とし、図１に示す従来の方法で得られたＳＩＲの測定誤差を比較例（白丸）とした。図７から分かるように、比較例では、チャネル変動を考慮していないため、遅延スプレッドが大きくなるにつれて測定誤差が大きくなっている。これに対して、実施例では、周波数方向のチャネル変動を補間して正確に干渉電力を測定できるので、測定誤差が相対的に小さい。
【００４１】
図８は、遅延スプレッドσ＝０．５５（μｓｅｃ)、移動速度ｖをパラメータとした平均ＳＩＲ測定誤差を示す。本発明に係る干渉電力推定方法を用いて得られたＳＩＲの測定誤差を実施例（黒丸）とし、図１に示す従来の方法で得られたＳＩＲの測定誤差を比較例（白丸）とした。図８から分かるように、比較例では、移動速度が大きくなったときに時間方向のチャネル変動の影響を除去できず測定誤差が増大する。これに対して、実施例では、移動速度≦６０（ｍ／ｓ）において平均測定誤差１ｄＢ以内にすることができる。
【００４２】
このように、本発明においては、ＲＳ間の周波数方向及び時間方向のチャネル変動を考慮した干渉電力推定を行うので、正確な受信品質（ＳＩＲ）を求めることができる。
【００４３】
本発明は上記実施の形態に限定されず、種々変更して実施することが可能である。上記実施の形態においては、ＬＴＥシステムの下りリンクを想定し、受信装置が移動端末装置の受信装置である場合について説明しているが、本発明はこれに限定されず、上りリンクの伝送にＯＦＤＭ伝送を適用するシステムであれば、無線基地局装置の受信装置にも適用することができる。また、上記実施の形態においては、ＬＴＥシステムにおけるＲＳを用いた場合について説明しているが、本発明はこれに限定されず、ＲＳ間のフェージング変動の相関の高低にかかわらずすべて適用が可能である。
【００４４】
また、本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【００４５】
１１  受信アンテナ
１２  受信部
１３  ＦＦＴ部
１４  ＲＳ取り出し部
１５  重み付き合成部
１６  減算部
１７  ２乗平均化部
【図１】
2011045027.tif 000004
【図２】
2011045027.tif 000005
【図３】
2011045027.tif 000006
【図４】
2011045027.tif 000007
【図５】
2011045027.tif 000008
【図６】
2011045027.tif 000009
【図７】
2011045027.tif 000010
【図８】
2011045027.tif 000011